(57)【要約】  【課題】  利用形態を拡張できる温泡入浴装置を提供すること。  【解決手段】先端部から温泡が吐出される温泡吐出部を壁面内に収納し、前記温泡吐出部を前記壁面から繰り出されて使用位置に変移されたとき、前記先端部と床面との間に、所定の高さを画成するようにした、温泡入浴装置。【選択図】  図１
2006109881.tif 000002
【特許請求の範囲】
【請求項１】
先端部から温泡が吐出される温泡吐出部を壁面内に収納し、前記温泡吐出部を前記壁面から繰り出されて使用位置に変移されたとき、前記先端部と床面との間に、所定の高さを画成するようにした、温泡入浴装置。
【請求項２】
前記温泡吐出部の基端部が前記壁面内の所定の位置にて枢着され、前記温泡吐出部が前記位置を中心に前記壁面から離れる方向に所定角度回動されることにより、前記使用位置に変移されるようにした、請求項１記載の温泡入浴装置。
【請求項３】
前記先端部を屈曲形成し、前記温泡吐出部が前記使用位置に変移されたとき、前記先端部は、前記床面と略平行をなす、請求項２記載の温泡入浴装置。
【請求項４】
前記温泡吐出部をＵ字型に形成して前記先端部を一対とした、請求項１記載の温泡入浴装置。
【発明の詳細な説明】
【技術分野】
【０００１】
本発明は、温泡で入浴を行う温泡入浴装置に関する。
【背景技術】
【０００２】
近年、温泡で入浴を行う温泡入浴装置が多々、提供されている。しかして、温泡入浴装置は、例えば特許文献１に開示されるように、バスタブ内に温泡を充満させて入浴を行うものである。この入浴は、温水入浴に伴う心臓への負担がなく、また、適温の温泡を多量に用いることにより、温水入浴と略同等の温浴効果が得られるという利点がある。
【特許文献１】特許第３４４６６２３号公報
【発明の開示】
【発明が解決しようとする課題】
【０００３】
特許文献１に開示された温泡入浴装置は、確かに、画期的なものであって、高く評価されるべきものである。しかし、この温泡入浴装置を用いて、上記した恩恵を蒙るためには、使用者が自力で（若しくは介助者の助力を伴って）バスタブに入ることが前提であるので、身体の柔軟性を失ってバスタブに入ることが出来ない人にとっては、温泡入浴の恩恵を蒙ることができない。
【０００４】
それ故に、本発明は、利用形態を拡張できる温泡入浴装置を提供することを、その技術的課題とする。
【課題を解決するための手段】
【０００５】
上記の課題を解決するために講じた技術的手段は、請求項１に記載のように、
「先端部から温泡が吐出される温泡吐出部を壁面内に収納し、前記温泡吐出部を前記壁面から繰り出されて使用位置に変移されたとき、前記先端部と床面との間に、所定の高さを画成するようにした、温泡入浴装置。」
を構成したことである。
【０００６】
請求項１記載の温泡入浴装置においては、請求項２に記載のように、「前記温泡吐出部の基端部が前記壁面内の所定の位置にて枢着され、前記温泡吐出部が前記位置を中心に前記壁面から離れる方向に所定角度回動されることにより、前記使用位置に変移されるようにする」のが望ましく、更には、請求項３に記載のように、「前記先端部を屈曲形成し、前記温泡吐出部が前記使用位置に変移されたとき、前記先端部は、前記床面と略平行をなす」ようにするのが望ましい。
【０００７】
また、請求項１記載の温泡入浴装置においては、請求項４に記載のように、「前記温泡吐出部をＵ字型に形成して前記先端部を一対とする」のが望ましい。
【発明の効果】
【０００８】
本発明によれば、温泡吐出部を壁面から繰り出されて使用位置に変移されたとき、先端部と床面との間に所定の高さが画成されるので、先端部と床面との間に、例えば、移動式バスタブを位置させれば、寝たきり老人その他身体の柔軟性がない者にも、温泡入浴の恩恵を蒙らせることが出来る。更には、温泡吐出部の先端部から移動式バスタブへの吐出が完了した時点で、この移動式バスタブを他へ移送せしめれば、直ちに他の移動式バスタブへの温泡吐出が可能となり、介護施設等においては、短時間内に、多数の人に温泡入浴の恩恵を蒙らせることが出来る。
【０００９】
しかして、温泡吐出部を壁面から繰り出されて使用位置に変移する場合、回動操作により行うようにすれば、温泡吐出部を収納するために壁面内に形成される空間を縦長にでき、壁面に厚みが要請される、既存の建物に容易に設置できる。
【００１０】
また、温泡が吐出される先端部を屈曲形成し、温泡吐出部が前記使用位置に変移されたとき、先端部が、前記床面と略平行をなすようにしておけば、温泡が付着されるべき使用者の位置決めを確実に行うことが出来る。
【００１１】
更には、温泡吐出部をＵ字型に形成して先端部を一対とすることにより、吐出される温泡が集中化せず、吐出エリアを広げることができ、使用者への温泡の付着完了時間を短縮することが出来る。
【発明を実施するための最良の形態】
【００１２】
以下、本発明に係る昇降ベッドの実施形態の一例を、図面を参照して詳細に説明する。
【００１３】
図１〜図５において、壁面に形成された空間１０１には、先端穴３から温泡が吐出される温泡吐出部１５０が収容される。
【００１４】
図３に示されるように、温泡吐出部１５０は断熱性を有する樹脂材料を基材として形成されたパネル盤状をなしている。すなわち、温泡吐出部１５０は、これの基端部１５１に互いに対向する端面１５２をもつ切欠１５３を有する本体部１５４と、本体部１５４から二股状に延設された延設部１５５と、延設部１５５の先端部に設けられた先端部１５７とを有する。先端部１５７は、第１延設部１５５ｆに設けられた第１先端部１５７ｆと、第２延設部１５５ｓに設けられた第２先端部１５７ｓとをもつ。従って先端部１５７は２個１組とされている。第１先端部１５７ｆには第１温泡吐出穴３ｆが、第２先端部１５７ｓには第２温泡吐出穴３ｓが、夫々、形成される。しかして、する先端部１５７は、Ｕの字形状をなして、開口１５８を形成する。開口１５８は、第１先端部１５７ｆからの温泡吐出と、第２先端部１５７ｓからの温泡吐出とを出きる限り離して、吐出エリアを大きくするためである。
【００１５】
図１に示すように、先端部１５７は延設部１５５に対して角度θ１傾いている。これにより先端部１５７が床面延いては床面上に位置する移動バスタブの内部に対して略直角に対峙する。
【００１６】
図２に示すように、前記した可動体退避空間１０１は、温泡吐出部１５０の本体部１５４を収容して退避させ得る空間１０１ａと、温泡吐出部１５０の２個１組の延設部１５５を収容して退避させ得る２又状の空間１０１ｃとを有する。温泡吐出部１５０の内部には、温泡吐出穴３に温泡を供給するための配管２００が内蔵されている。図２では配管２００が記載されているが、図２は概念図であり、実際的には配管２００は温泡吐出部１５０に隠蔽状態に内蔵されている。図２に示すように、配管２００は、第１温泡吐出穴３ｆから温泡吐出部１５０の基端部１５１の端面１５２にかけて延設された第１配管２０１と、第１配管２０１と温泡生成器７０に接続される第１接続管２０２と、可動側の第１配管２０１と固定側の第１接続管２０２との間に設けられた第１ジョイント枢支部２０３とを有する。更に、配管２００は、第２温泡吐出穴３ｓから温泡吐出部１５０の基端部１５１の端面１５２にかけて延設された第２配管２０５と、第２配管２０５と温泡生成器７０とに接続されるようにブース１側に固定された第２接続管２０６と、可動側の第２配管２０５と固定側の第２接続管２０６との間に設けられた第２ジョイント枢支部２０７とを有する。
【００１７】
第１配管２０１及び第２配管２０５は金属や樹脂等の硬質材料で形成されているため、温泡吐出部１５０の補強も兼ねることができるが、これに限定されるものではなく、可撓管で形成しても良い。第１ジョイント部２０３は、第１配管２０１と第１接続管２０２とを周方向に相対回動させる。第２ジョイント部２０７は、第２配管２０５と第２接続管２０６とを周方向に相対回動させる。温泡吐出部１５０の回動枢支構造をＰＡとして示す。
【００１８】
温泡吐出部１５０の回動枢支構造ＰＡについて、図３を参照して更に説明を加える。温泡吐出部１５０の基端部１５１にはブラケット５００が取り付けられている。ブラケット５００は、筒形状をなす第１ジョイント部２０３、筒形状をなす第２ジョイント部２０７とを有する。従って、第１ジョイント部２０３、第２ジョイント部２０７、ブラケット５００は可動側となる。また、第１温泡吐出穴３ｆに繋がる第１配管２０１の端部２０１ｃは、連結管２０１ｘを介して第１ジョイント部２０３に接続されている。第２温泡吐出穴３ｓに繋がる第２配管２０５の端部２０５ｃは、連結管２０５ｘを介して第２ジョイント部２０７に接続されている。従って、第１配管２０１及び第２配管２０５は可動側となる。更に、第１固体リング具５１０が第２固定リング具５２０を介して第１ジョイント部２０３及び第２ジョイント部２０７内に同軸的に差し込まれている。第１固体リング具５１０は、筒部５１１とフランジ部５１２とを同軸的に有する。図３に示すように、一方の第１固定リング具５１０には第１接続管２０２の端部２０２ｃが接続されている。他方の第１固定リング具５１０には第２接続管２０６の端部２０６ｃが接続されている。第１固定リング具５１０の筒部５１１と第１ジョイント部２０３,第２ジョイント部２０７との間には、ベアリング球等の転動体５３０が介在している。これにより第１ジョイント部２０３,第２ジョイント部２０７の中心線ＰＣの回りで、温泡吐出部１５０は回動することができる。
【００１９】
上記のように本実施例によれば、温泡を移送する配管２００を有効利用して温泡吐出部１５０が縦方向に沿って揺動可能に配設されている。図１に示すように、温泡吐出部１５０が上方（矢印Ｙ１方向）に揺動するときには、温泡吐出部１５０は壁面の可動体退避空間１０１に収容されて退避位置Ｗ１となる。このように温泡吐出部１５０が退避位置Ｗ１に退避していれば、設置室内空間が使用しない機器により無駄なスペースが占有されることがない。これに対して、図１の鎖線に示すように、温泡吐出部１５０が下方（矢印Ｙ２方向）に揺動するときには、温泡吐出部１５０はアームレスト部２７のストッパ面２７ｃに当たり、それ以上の下降回動は防止される。温泡吐出部１５０が使用位置Ｗ２に設定されているときには、図１に示すように、温泡吐出部１５０は、基端部１５１から先端部１５７に向けて下から上に向かうように傾斜している。延設部１５５は延設部１５５に対して角度θ１傾いているため、先端部１５７はほぼ水平方向に沿っており、このとき、先端部１５７は、床面と略対峙し、先端部１５７と床面との間には、移動式バスタブがアクセスできる空間が画成できる。
【００２０】
図４に示すように、温泡吐出部１５０のうち床面側には、霧状のミストシャワーを噴出する泡除去用のシャワー噴出部４が間隔を隔てて複数個分散させて設けられ、通路４ｋで繋がっている。通路４ｋには給水接続具４ｍが接続されている。給水接続具４ｍは、給水源に可撓管４ｐ（図１参照）を介して繋がる。霧状のミストシャワーは、泡を除去するのに有利である。このようにシャワー噴出部４が分散して複数個設けられているため、移動式バスタブ内の被介護者に付着した泡を除去して、居室乃至は病室に帰ることが出来る。
【００２１】
尚、泡生成の操作は、図示されないリモコンにより行われる。
【００２２】
温泡供給装置７は壁面内に隠蔽状態に設けられており、暖かい温泡を生成して温泡吐出穴３に供給するものである。温泡供給装置７は、温泡生成機能を有する温泡生成器７０と、圧縮気体としての圧縮空気を温泡生成器７０に供給する気体供給源として機能するコンプレッサ７１とを有する。温泡生成器７０は温泡吐出部１５０の枢支構造ＰＡの下側に設けられている。コンプレッサ７１はブース１のうち、退避位置Ｗ１に退避した温泡吐出部１５０の上側に設けられている。温泡生成器７０には、第１温泡吐出穴３ｆに繋がる第１配管２０１が接続されていると共に、第２温泡吐出穴３ｓに繋がる第２配管２０５が接続されており、更に、芳香剤（アロマオイル等）に代表される添加剤を投入する添加剤投入口７０ｗが形成されている。尚、壁面には図示されないメンテナンスドアが設けられている。メンテナンスドアを開放すれば、温泡生成器７０に泡剤を補給できる。
【００２３】
図６は温泡供給装置７の温泡生成器７０の概念を模式的に示す。図６に示すように、温泡生成器７０は、洗剤および温水を含む洗剤溶液７０ａを貯留すると共に仕切部材７０ｂで仕切られた複数の貯留室７０ｃをもつ容器７０ｄと、容器７０ｄの貯留室７０ｃの底部付近に配置された複数の噴出口７０ｆを有するノズル７０ｋをもつ気体供給管７０ｍとを備えている。気体供給管７０ｍはコンプレッサ７１につながる。コンプレッサ７１が駆動すると、圧縮気体としての圧縮空気が気体供給管７０ｍに供給され、ノズル７０ｋの噴出口７０ｆから噴出する（バブリング）。これにより温泡が容器７０ｄ内で生成される。複数の噴出口７０ｆの口径はそれぞれ同径とされているため、生成される泡のサイズを均一化させるのに有利である。また気体供給管７０ｍは水平方向に沿って配置されているため、パブリング時に洗剤溶液７０ａが乱流化することが抑制され、均一な温泡を生成させるのに有利となる。
【００２４】
次に、温泡入浴装置の使用について更に説明を加える。温泡入浴していないときには、温泡吐出部１５０は上方（矢印Ｙ１方向）に揺動されて退避位置Ｗ１とされている。温泡吐出部１５０が内蔵されている部屋に、温泡入浴する被介護者が収容された移動式バスタブが入室する場合、部屋が狭くても、この入室は、難なく行える。何故なら、温泡吐出部１５０は退避位置Ｗ１とされているため、邪魔にならないからである。その後、介護者により、温泡吐出部１５０を下方（矢印Ｙ２方向）に向けて揺動させて使用位置Ｗ２とされる。この位置においては、温泡吐出部１５０の先端部１５７は、床面と略水平に対峙し、温泡吐出部１５０の先端部１５７の温泡吐出穴３から、暖かい温泡を被介護者が収容され移動式バスタブに吐出される。これにより、被介護者は、温泡入浴により、身体の全体を効果的に暖めることができる。これにより被介護者のリラックス効果、温泡入浴効果を高めることができる。
【００２５】
温泡の温度は温泡入浴に適する温度にでき、泡質、使用者Ｍ、季節等によっても多少相違するものの、一般的には３５〜６０℃程度とすることができるが、これに限定されるものではない。
【００２６】
温泡入浴が終了すると、被介護者が移動式バスタブ内に収容されている状態で、使用位置Ｗ２の温泡吐出部１５０のシャワー噴出部４からミストシャワー等を噴出させれば、被介護者の身体に付着した泡も除去することができる。ここで、温水入浴後に、被介護者身体に付着した泡を除去する操作に長時間を要すると、その間に身体の冷えが進行し、冬季等では充分に満足できる温水入浴効果が得られなくなるおそれがある。この点本実施例によれば、シャワー噴出部４が霧状のミストシャワーを噴出させる場合には、被介護者の身体に付着した泡を短時間のうちに除去するのに有利となる。霧状のミストシャワーは微小粒状の液相と気相とが高頻度で混在しており、泡への微小状の液相の衝突が消泡に効果的であり、更に、霧状のミストシャワーは広面積に飛散しやすいため、多量の泡を除去させやすいためと推察される。
【図面の簡単な説明】
【００２７】
【図１】実施形態例に係る温泡入浴装置を概念的に示した側面図である。
【図２】図１の温泡入浴装置の正面図である。
【図３】図１の温泡入浴装置における可動体の枢支構造を示す断面図である。
【図４】図１の温泡入浴装置における可動体の構成図である。
【図５】図１の温泡入浴装置における温泡生成器の概念を示す構成図である。
【符号の説明】
【００２８】
図中、１はブース（基体）、１０は入浴室、１１はブース本体、１２は開閉ドア、１２ｍは膨出部、３は温泡吐出部、４はシャワー噴出部、７は温泡供給装置、７０は温泡生成器、７１はコンプレッサ、１５０は可動体、１５４は本体部、１５５は延設部、１５７は先端部、１５８は開口、１５９は温泡収容空間、２００は配管、Ｗ１は退避位置、Ｗ２は使用位置を示す。
【図１】
2006109881.tif 000003
【図２】
2006109881.tif 000004
【図３】
2006109881.tif 000005
【図４】
2006109881.tif 000006
【図５】
2006109881.tif 000007